(57)【要約】【課題】ユーザの目の疲れを予防できる携帯端末装置を提供する。【解決手段】携帯端末装置１は、携帯端末装置１の表示部に対するユーザの目視状態を検出する目視状態検出部０１１０と、前記目視状態に応じて、前記ユーザに現在の目視状態の変更を促すための目視状態変更要求信号を出力する目視状態変更要求部１１１と、を備える。【選択図】図１
2014064176.tif 000002
【特許請求の範囲】
【請求項１】
携帯端末装置の表示部に対するユーザの目視状態を検出する目視状態検出部と、
前記目視状態に応じて、前記ユーザに現在の目視状態の変更を促すための目視状態変更要求信号を出力する目視状態変更要求部と、
を備えることを特徴とする携帯端末装置。
【請求項２】
タイマ開始信号を入力してからの経過時間を算出して逐次出力するタイマ機能部と、
取得した撮像を画像データとして出力する画像取得部と、を備え、
前記目視状態検出部は、
前記画像取得部から入力した画像データに基づいてユーザの視線方向を抽出し、当該ユーザが前記表示部を見ている場合に視線検出信号を出力する手段を備え、
前記目視状態変更要求部は、
前記目視状態検出部から視線検出信号を入力した場合に、前記タイマ機能部にタイマ開始信号を出力した後、前記タイマ機能部からの入力信号に基づき、タイマ開始信号を出力してから所定の期間を経過したことを検知した場合に、前記表示部に目視状態変更要求信号を出力する手段を備え、
前記表示部は、
前記目視状態変更要求部から目視状態変更要求信号を入力した場合に、視線を表示部から外すように促す表示画像を表示する手段を備える
ことを特徴とする請求項１に記載の携帯端末装置。
【請求項３】
ユーザと前記表示部との距離を計測して出力する距離計測部を備え、
前記目視状態検出部は、
前記距離計測部から入力した距離データが、予め定められた所定の範囲内に含まれていない場合に距離検出信号を出力する手段を備え、
前記目視状態変更要求部は、
前記目視状態検出部から距離検出信号を入力した場合に、前記表示部に目視状態変更要求信号を出力する手段を備え、
前記表示部は、
前記目視状態変更要求部から目視状態変更要求信号を入力した場合に、前記表示部との距離を変更するように促す表示画像を表示する手段を備える
ことを特徴とする請求項１または請求項２に記載の携帯端末装置。
【請求項４】
前記目視状態変更要求部は、
タイマ開始信号を出力した後、前記目視状態検出部から視線検出信号が入力されていた状態から入力されなくなった状態へ推移した時点において、所定の期間の経過を検知していなかった場合に、前記タイマ機能部へタイマ停止信号を出力し、
前記タイマ機能部は、
前記目視状態変更要求部からタイマ停止信号を入力した場合に、経過時間の算出及びその出力を停止する
ことを特徴とする請求項２または請求項３に記載の携帯端末装置。
【請求項５】
前記目視状態変更要求部は、
前記表示部に目視状態変更要求信号を出力した後、前記目視状態検出部から視線検出信号が入力されなくなった場合に、前記表示部に目視状態の変更の要求を取りやめるための要求取消信号を出力し、
前記表示部は、
前記目視状態変更要求部から要求取消信号を入力した場合に、視線を表示部から外すように促す表示画像を消去する
ことを特徴とする請求項２から請求項４の何れか一項に記載の携帯端末装置。
【請求項６】
前記目視状態変更要求部は、
前記表示部に目視状態変更要求信号を出力した後、前記目視状態検出部から距離検出信号が入力されなくなった場合に、前記表示部に目視状態の変更の要求を取りやめるための要求取消信号を出力し、
前記表示部は、
前記目視状態変更要求部から要求取消信号を入力した場合に、前記表示部との距離を変更するように促す表示画像を消去する
ことを特徴とする請求項２に記載の携帯端末装置。
【請求項７】
携帯端末装置の表示部に対するユーザの目視状態を検出し、
前記目視状態に応じて、前記ユーザに現在の目視状態の変更を促すための目視状態変更要求信号を出力する
ことを特徴とする携帯端末装置制御方法。
【請求項８】
携帯端末装置のコンピュータを、
前記携帯端末装置の表示部に対するユーザの目視状態を検出し、
前記目視状態に応じて、前記ユーザに現在の目視状態の変更を促すための目視状態変更要求信号を出力する
制御手段として機能させることを特徴とする携帯端末装置用プログラム。
【発明の詳細な説明】
【技術分野】
【０００１】
本発明は、目の疲れを予防する機能を搭載する携帯端末装置、携帯端末装置制御方法及び携帯端末装置用プログラムに関する。
【背景技術】
【０００２】
近年、スマートフォン等の携帯端末装置は多機能化が進み、利用者にとって手放せないものとなっている。また、近年の携帯端末装置には、例えばＣＣＤカメラ等の画像取得機能が搭載されているのが一般的となっており、当該画像取得機能部をセンサとして利用した様々な利用形態が提案されている。例えば、画像取得機能部を通じた顔検出機能を用いて、一定時間キー操作がない場合であっても、画像取得機能部の撮像及び顔検出機能により顔が検出されればディスプレイ照明を消灯せずに、さらに一定時間点灯を継続する省電力機能が開示されている（特許文献１参照）。
【先行技術文献】
【特許文献】
【０００３】
【特許文献１】特開２００９−２５２６５０号公報
【発明の概要】
【発明が解決しようとする課題】
【０００４】
しかしながら、近年の携帯端末装置の多機能化に伴い、利用者の携帯電話機の利用時間は増加する一方である。そして、長い時間表示を見続けることで、目の疲れを引き起こす問題が生じている。特に、特許文献１に記載の携帯端末装置は、利用者が携帯端末装置の表示部を見ていることを識別して、その使用を妨げないようにするためのものであるから、携帯端末装置の長時間の利用に基づく目の疲れを予防するような効果を得ることはできない。
【０００５】
そこでこの発明は、上記課題を解決する携帯端末装置、携帯端末装置制御方法及び携帯端末装置制御プログラムを提供することを目的としている。
【課題を解決するための手段】
【０００６】
本発明は、上述の課題を解決すべくなされたもので、携帯端末装置の表示部に対するユーザの目視状態を検出する目視状態検出部と、前記目視状態に応じて、前記ユーザに現在の目視状態の変更を促すための目視状態変更要求信号を出力する目視状態変更要求部と、を備えることを特徴とする携帯端末装置である。
【０００７】
また本発明は、携帯端末装置の表示部に対するユーザの目視状態を検出し、前記目視状態に応じて、前記ユーザに現在の目視状態の変更を促すための目視状態変更要求信号を出力することを特徴とする携帯端末装置制御方法である。
【０００８】
また本発明は、携帯端末装置のコンピュータを、前記携帯端末装置の表示部に対するユーザの目視状態を検出し、前記目視状態に応じて、前記ユーザに現在の目視状態の変更を促すための目視状態変更要求信号を出力する制御手段として機能させることを特徴とするプログラムである。
【発明の効果】
【０００９】
本発明の携帯端末装置によれば、ユーザの目の疲れを予防できる携帯端末装置を提供することができる。
【図面の簡単な説明】
【００１０】
【図１】本発明の一実施形態による携帯端末装置１の構成を示すブロック図である。
【図２】図１に示す携帯端末装置１の機能構成をより詳細に示したブロック図である。
【図３】携帯端末装置１における制御部１１の処理フローを示すフローチャート図である。
【図４】視線を表示部から外すように促す表示画像の表示例である。
【図５】本発明の一実施形態による携帯端末装置２の構成を示すブロック図である。
【図６】携帯端末装置２における制御部２１の処理フローを示すフローチャート図である。
【発明を実施するための形態】
【００１１】
＜第一の実施形態＞
以下、本発明の第一の実施形態による携帯端末装置を、図面を参照して説明する。
図１は同実施形態による携帯端末装置の構成を示すブロック図である。
この図において、符号１は携帯端末装置であり、携帯端末装置１は、少なくとも、携帯端末装置１の表示部に対するユーザの目視状態を検出する目視状態検出部０１１０を備える。また、当該目視状態に応じて、ユーザに現在の目視状態の変更を促すための目視状態変更要求信号を出力する目視状態変更要求部１１１を備える。以下に携帯端末装置１の具体的な構成及び処理について説明する。
【００１２】
図２は、図１に示す携帯端末装置１の機能構成をより詳細に示したブロック図である。
図２に示す携帯端末装置１においては、図１に示した機能部の他、画像取得部１０、制御部１１、表示部１２、操作部１３、記憶部１４、無線通信部１５、通話部１６を備えている。
【００１３】
画像取得部１０は、例えば、携帯端末装置１に備え付けられたカメラ機能部であり、携帯端末装置１に備えられた箇所からの撮像を画像データとして出力する。本実施形態において、画像取得部１０の集光部（カメラレンズ）は、携帯端末装置１の表示部１２と同じ面に設けられていて、表示部１２を目視しているユーザの顔を撮像として捉えることができるように配置されている。
制御部１１は、画像取得部１０の他、種々のユーザインターフェイスから入力される各種入力情報に応じて様々な処理を実行するものであり、一般的にはＣＰＵ（Ｃｅｎｔｒａｌ  Ｐｒｏｃｃｅｓｓｉｎｇ  Ｕｎｉｔ、中央演算装置）に所定のプログラムを実行させることで構成される。
表示部１２は、液晶ディスプレイ、有機ＥＬディスプレイ等を備え、これらを通じて携帯端末装置１における状態又は処理の結果を映像としてユーザに認識させるものである。
操作部１３は、ユーザが直接操作をして携帯端末装置１に所定の情報を入力するためのインターフェイスであり、例えば複数の入力キーを組み合わせたものからなる。また、携帯端末装置１がタッチパネル形式を採用している場合、操作部１３は、当該タッチパネル上に積層されたタッチセンサであってよい。
記憶部１４は、通話の際に用いられる電話帳、アドレス帳の他、各種機能設定を登録したデータや、画像データ、動画データ、楽曲データ等、携帯端末装置１で利用可能な様々な電子データを保持するものである。
無線通信部１５は、音声通話、メール送受信等の処理を行う際に、外部との無線通信を確立して情報をやり取りするための無線通信インターフェイスである。
通話部１６は、ユーザが、他のユーザと通話を行うためのユーザインターフェイスであり、マイクやレシーバ等で構成される。
【００１４】
また、制御部１１は、少なくとも視線検出部１１０、目視状態変更要求部１１１及びタイマ機能部１１２を備えている。
【００１５】
視線検出部１１０は、目視状態検出部０１１０の態様の一つであり、画像取得部１０から入力した画像データに基づいて、ユーザの顔として認識される部分を抽出し、さらに、当該ユーザの視線を抽出し、当該ユーザが表示部１２を見ていることを検知した場合には、所定の視線検出信号を目視状態変更要求部１１１に出力するものである。視線検出手法としては、例えば人の顔を含む画像に二値化等の処理を加え、瞳に相当する部分を抽出して視線方向を算出する技術等を用いる。目視状態変更要求部１１１は、視線検出部１１０からユーザが表示部１２を見ていることを通知する視線検出信号を入力した場合に、経過時間の算出（タイマ機能）を開始させるためのタイマ開始信号をタイマ機能部１１２に出力する。また、目視状態変更要求部１１１は、タイマ機能部１１２からの入力信号に基づき、タイマ開始信号を出力してから所定の期間を経過したことを検知した場合に、表示部１２に、ユーザに現在の目視状態の変更を促すための目視状態変更要求信号を出力する。表示部１２は、当該目視状態変更要求信号を入力すると、ユーザに視線を表示部から外すように促す表示画像を表示する。
タイマ機能部１１２は、目視状態変更要求部１１１からタイマ開始信号を入力した場合に、当該タイマ開始信号を入力してからの経過時間を算出して、目視状態変更要求部１１１に逐次出力するものである。また、タイマ機能部１１２は、目視状態変更要求部１１１からタイマ停止信号を入力した場合に、経過時間の算出及びその出力を停止する。一旦停止したタイマ機能部１１２は、これまでの計測時間をリセットし、次のタイマ開始信号を入力した際には、当該入力した時刻からの経過時間を改めて出力するものとする。
【００１６】
図３は、携帯端末装置１における制御部１１の処理フローを示すフローチャート図である。
次に、本実施形態による携帯端末装置１の具体的な動作について、図３を参照しながら順を追って説明する。
まず、ユーザが携帯端末装置１の表示部１２を見ているか否かを判断するために、制御部１１は、画像取得部１０を起動する（ステップＳ１１）。次に、制御部１１の視線検出部１１０は、画像取得部１０から入力される画像データを解析し、当該ユーザの視線が表示部１２に向いているか否かを判断する（ステップＳ１２）。ここで、ユーザの視線が表示部１２に向いていないと判断した場合には、視線検出部１１０は、ユーザの視線を検知するまでステップＳ１２を繰り返す。
【００１７】
一方、ユーザの視線が表示部１２に向いていると判断した場合には、視線検出部１１０は視線検出信号を出力する。そして、これを入力した目視状態変更要求部１１１がタイマ機能部１１２にタイマ開始信号を出力し、ユーザが表示部１２を見ている時間の計測を開始する(ステップＳ１３)。次に、目視状態変更要求部１１１は、タイマ機能部１１２が計測して出力する経過時間に基づいて、予め定められた所定の時間を経過したか否かを判断する（ステップＳ１４）。そして、所定の時間が経過していない場合には、視線検出部１１０が、画像取得部１０から入力される画像データを解析し、当該ユーザの視線が表示部１２に向いているか否かを判断する（ステップＳ１６）。ここで、引き続きユーザの視線が表示部１２に向いている判断した場合には、視線検出部１１０はそのまま視線検出信号を出力し続け、これを入力した目視状態変更要求部１１１は、ステップＳ１４に戻り、再度、所定の時間が経過したか否かを判断する。一方、ユーザの視線が表示部１２に向いていないと判断した場合には、視線検出部１１０は視線検出信号の出力を停止する。そして、目視状態変更要求部１１１は、視線検出信号が入力されなくなった状態へ推移したことを検知して、経過時間の計測及びその出力を停止するためのタイマ停止信号をタイマ機能部１１２へ出力して、時間計測及びその出力を停止し（ステップＳ１７）、ステップＳ１２に戻って、再度、画像データの解析処理を再開することとする。
【００１８】
一方、ステップＳ１４で、目視状態変更要求部１１１が予め定められた所定の時間を経過したことを検知した場合には、目視状態変更要求部１１１は、ユーザが所定の期間中継続して表示部１２を見ていたとして、表示部１２に目視状態変更要求信号を出力する。そして、これを入力した表示部１２が、視線を表示部から外すように促す表示画像を表示する（ステップＳ１５）。このようにすることで、ユーザに、携帯端末装置１の表示部１２を長時間見続けていることを認識させることが可能となる。
なお、制御部１１は、上述した処理フローが「終了」に到達した場合、再度「開始」に戻って当該処理フローを繰り返し行ってもよい。
【００１９】
図４は、視線を表示部から外すように促す表示画像の表示例である。
表示部１２は、目視状態変更要求部１１１から目視状態要求信号を入力すると、図４に示すポップアップ画像４０のように「目の休憩。携帯電話機の表示よりも遠くに視線を移しましょう。」などと表示してもよい。一定時間間隔で、視線を遠くに移すことは、目の疲れを予防する手軽な方法の一つである。
【００２０】
そして、本実施形態による携帯端末装置１によれば、ユーザが所定の期間中継続して表示部１２を見ていた場合において、図４に示すような、所定のポップアップ画像を表示部１２に表示することにより、ユーザに、長時間表示画面を見ていたことを認識させることができる。そして、ユーザは、その都度、視線を遠くに移す等の措置を行うことによって、目の疲れを予防できるという効果が得られる。
【００２１】
ところで、目の疲れを予防するための措置としては、図４に示すようなポップアップ画像でユーザに注意喚起する場合のほか、種々の態様が考えられる。例えば、表示していた画面の輝度が高い場合にはその輝度を落とす（或いは表示画面を消す）、または、表示していた画像が３Ｄ映像であった場合にはその３Ｄ映像を通常表示に切り替える、等の処理を行ってもよい。
【００２２】
また、図４に示すような注意喚起のポップアップ画像が表示された場合において、その表示を消去する（元の操作画面に戻す）条件として、目視状態変更要求部１１１が、ユーザが表示部１２から一旦視線を外したことを検知したことをもって、ポップアップ画像を消去するようにしてもよい。すなわち、目視状態変更要求部１１１は、表示部１２に目視状態変更要求信号を出力して当該ポップアップ画像が表示された後にも視線検知処理（ステップＳ１２）を継続する。そして、視線検出部１１０から視線検出信号が入力されなくなった場合に、表示部１２に目視状態の変更の要求を取りやめるための要求取消信号を出力する。そして、表示部１２は当該要求取消信号を入力した場合に、当該ポップアップ画像を消去するようにしてもよい。このようにすれば、ユーザは、単に表示部１２から一旦視線を外す動作を行うのみで、当該ポップアップ画像を消去することができるとともに、より実効的に目の疲れの予防効果を得ることができる。
【００２３】
また、目視状態変更要求部１１１がステップＳ１４における判断に用いる「所定の期間」は、ユーザが自由に設定できるようにしてもよい。例えば、初期値を１０分とし、１５分、２０分などへの変更が可能なように、ユーザ設定機能を設けても良い。この場合、ユーザは、携帯端末装置１の操作部１３を介して、自身が希望するユーザ設定を入力することで設定を行う。また、その設定は記憶部１４に記憶されるものとする。
【００２４】
＜第二の実施形態＞
上述したように、第一の実施形態の携帯端末装置１は、ユーザが表示画面を見始めてから一定時間経過後に、ユーザに視線を遠くに移すように促すような表示画面を表示させる。このように、ユーザに長期間表示画面を見続けることを認識させることによって、ユーザは目の疲れを予防することができる。一方、以下に説明する第二の実施形態のように、携帯端末装置が備える距離計測部を使用して、ユーザが適切な距離で表示画面を見ているか否かをユーザに認識させることによっても、ユーザは目の疲れを予防することができる。
【００２５】
以下、本発明の第二の実施形態による携帯端末装置２を、図５を参照して説明する。
図５は同実施形態による携帯端末装置２の構成を示すブロック図である。
この図において、携帯端末装置２は、図２で説明した制御部２１、表示部２２、操作部２３、記憶部２４、無線通信部２５及び通話部２６の他、距離計測部２０を備えている。なお、制御部２１、表示部２２、操作部２３、記憶部２４、無線通信部２５及び通話部２６の各機能部については図２で示した当該各機能部と同一のため、その説明については省略する。
そして、図５において、距離計測部２０は、例えば、携帯端末装置２に備え付けられた赤外線センサ、又は超音波センサ等であり、対象物との距離を計測して、その計測データを出力する機能部である。本実施形態において、距離計測部２０は、携帯端末装置２の表示部２２と同じ面に設けられていて、携帯端末装置２を使用しているユーザと表示部２２との距離が計測できるように配置されている。
【００２６】
また、制御部２１は、少なくとも距離判定部２１０及び目視状態変更要求部２１１を備えている。距離判定部２１０は、目視状態検出部０１１０の態様の一つであり、距離計測部２０を介して取得した距離データが、予め定められた所定の範囲内に含まれているか否かを判定し、当該範囲内に含まれていない場合に距離検出信号を出力する。目視状態変更要求部２１１は、距離判定部２１０から当該距離検出信号を入力した場合に、表示部２２に目視状態変更要求信号を出力する。表示部２２は、この目視状態変更要求信号を入力すると、表示部２２との距離を変更するように促す表示画像を表示する。
【００２７】
図６は、携帯端末装置２における制御部２１の処理フローを示すフローチャート図である。
次に、本実施形態による携帯端末装置２の具体的な動作について、図６を参照しながら順を追って説明する。
まず、ユーザが携帯端末装置２を適切な焦点距離で使用しているか否かを判断するために、制御部２１は、距離計測部２０を起動する（ステップＳ２１）。次に、制御部２１の距離判定部２１０は、距離計測部２０から入力される距離計測データに基づいてユーザと表示部２２との距離測定を行う（ステップＳ２２）。そして、距離判定部２１０は、入力された計測データに基づき、ユーザと表示部２２との距離が所定の閾値の範囲内にあるか否かを、予め設定した閾値を参照して判断する（ステップＳ２３）。ここで、制御部２１は、距離判定部２１０がユーザと表示部２２との距離が所定の閾値の範囲内にあると判断した場合には、引き続きユーザとの距離を計測する処理（ステップＳ２２）を繰り返す。
【００２８】
一方、ステップＳ２３で、ユーザと表示部２２との距離が所定の閾値の範囲内にないと判断した場合には、距離判定部２１０は距離検出信号を出力する。さらに、これを入力した目視状態変更要求部２１１が表示部２２に目視状態変更要求信号を出力する。そして、これを入力した表示部２２が、表示部２２との距離を変更するように促す表示画像を表示する（ステップＳ２４）。表示部２２との距離を変更するように促す表示画像の表示例としては、例えば、表示部２２は、目視状態変更要求部２１１から目視状態要求信号を入力すると、「携帯電話機を見る距離が適切ではありません。３０ｃｍから４０ｃｍの距離を保ちましょう。」とポップアップ画像を表示させてもよい。
なお、制御部２１は、上述した処理フローが「終了」に到達した場合、再度「開始」に戻って当該処理フローを繰り返し行ってもよい。
【００２９】
そして、本実施形態による携帯端末装置２によれば、ユーザが適切でない距離をもって表示部２２を見ていた場合において、所定のポップアップ画像を表示部２２に表示することにより、ユーザに、適切でない距離で表示部２２を見ていたことを認識させることができる。そして、ユーザは、その都度、表示部２２との距離を適切な距離に調整する等の措置を行うことによって、目の疲れを予防できるという効果が得られる。
【００３０】
また、上述したようなポップアップ画像を消去する（元の表示画面に戻す）条件として、目視状態変更要求部２１１が、ユーザと表示部２２との距離が適切な範囲内に収まったことを（距離計測部２０を介して）検知したことをもって、ポップアップ画像を消去するようにしてもよい。すなわち、目視状態変更要求部２１１は、表示部２２に目視状態変更要求信号を出力して当該ポップアップ画像が表示された後にも距離検知処理（ステップＳ２３）を継続する。そして、距離判定部２１０から距離検出信号が入力されなくなった場合に、表示部２２に目視状態の変更の要求を取りやめるための要求取消信号を出力する。そして、表示部２２は、当該要求取消信号を入力した場合に、当該ポップアップ画像を消去してもよい。このようにすれば、ユーザは、単に表示部２２との距離を調整するのみで当該ポップアップ画像を消去することができる。
【００３１】
また、距離判定部２１０がステップＳ２３における判断に用いる閾値は、ユーザが自由に設定できるようにしてもよい。例えば、初期値を３０ｃｍ〜４０ｃｍとし、２０〜３０ｃｍ、１０〜２０ｃｍなどへの変更が可能なように、ユーザ設定機能を設けても良い。この場合、ユーザは、携帯端末装置２の操作部２３を介して、自身が希望するユーザ設定を入力することで設定を行う。また、その設定は記憶部２４に記憶されるものとする。
【００３２】
また、第二の実施形態による携帯端末装置２は、第一の実施形態による携帯端末装置１が備えていたものと同等のタイマ機能部２１２を備えていてもよい。制御部２１がタイマ機能部２１２を用いることによって、例えば、ステップＳ２２におけるユーザとの距離測定に要する時間を適宜設定することもできる。
【００３３】
また、本実施形態による携帯端末装置２は、上記で説明した距離計測部２０に基づくユーザとの距離測定機能に加え、第一の実施形態で説明した画像取得部１０に基づくユーザの視線検知機能を備えていてもよい。例えば、図３に示すフローチャートのステップＳ１１にて画像取得部１０を起動すると同時に距離計測部２０を起動する。そして、タイマ機能部１１２の時間計測開始後（ステップＳ１３）、ステップＳ１６にてユーザの視線が表示部１２に向いているか否かの判定に加え、ユーザとの距離は閾値範囲外か否か（適切な距離で見ていないかどうか）の判定を行う。そして、両方の条件を満たした場合に時間計測を継続し（ステップＳ１４）、そのまま所定の期間が過ぎた場合には視線を表示部から外すことを促す表示画面を表示する（ステップＳ１５）ようにしてもよい。このようにすることで、より的確にユーザの目の疲れを予防する効果を得ることができる。
【００３４】
なお、上述の携帯端末装置１及び携帯端末装置２は、内部に、コンピュータシステムを有している。そして、上述した携帯端末装置１及び携帯端末装置２の各処理の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【００３５】
１、２・・・携帯端末装置
１０・・・画像取得部
１１、２１・・・制御部
１１０・・・視線検出部
１１１、２１１・・・目視状態変更要求部
１１２・・・タイマ機能部
１２、２２・・・表示部
１３、２３・・・操作部
１４、２４・・・記憶部
１５、２５・・・無線通信部
１６、２６・・・通話部
２０・・・距離計測部
２１０・・・距離判定部
０１１０・・・目視状態検出部
【図１】
2014064176.tif 000003
【図２】
2014064176.tif 000004
【図３】
2014064176.tif 000005
【図４】
2014064176.tif 000006
【図５】
2014064176.tif 000007
【図６】
2014064176.tif 000008